(57)【要約】【課題】本発明は、結婚リングや恋人同士のペアリングとして好適なもので、２個一対のペアリング同士が物理的に惹き合い又は吸着して、夫婦や恋人同士にとって一体感や親密感を醸し出すペアリングであって、指輪や腕輪等のリングを提供する。【解決手段】２個一対の指輪又は腕輪からなるペアリングであって、磁極を形成する永久磁石がリング本体内に単数個又は複数個をリング径方向に配列して埋設されることにより夫々のリングにお互いが異なる磁極をリング外周表面に形成し、かつ、該リング本体が非磁性を有する金属製又は合成樹脂製又は木製であることを特徴とする。【選択図】図２
2007111141.tif 000002
【特許請求の範囲】
【請求項１】
２個一対の指輪又は腕輪からなるペアリングであって、夫々のリングがお互いに異なる磁極をリング外周表面に形成したることを特徴とするペアリング。
【請求項２】
前記磁極を形成する永久磁石がリング本体内に単数個又は複数個をリング径方向に配列して埋設され、かつ、該リング本体が非磁性を有する金属製又は合成樹脂製又は木製であることを特徴とする請求項１記載のペアリング。
【請求項３】
前記磁極が、磁性材料で構成されたリング外周表面に形成していることを特徴とする請求項１記載のペアリング。
【請求項４】
請求項２記載の永久磁石がフェライト系磁石及び希土類系磁石の内から選択される一種類であることを特徴とするペアリング。
【請求項５】
請求項３記載の磁性材料がフェライト系材料、希土類系材料、フェライト系ボンド磁石材料及び希土類系ボンド磁石材料の内から選択される一種類であることを特徴とするペアリング。
【請求項６】
前記ペアリングのリング表面に貴金属膜又は窒化チタン膜が固着されていることを特徴とする請求項２乃至５のいずれかに記載のペアリング。
【請求項７】
前記貴金属膜又は窒化チタン膜がイオンプレーティング、スパッタリング又はＣＶＤ法により蒸着された膜であることを特徴とする請求項６記載のペアリング。
【発明の詳細な説明】
【技術分野】
【０００１】
本発明は、結婚リングや恋人同士のペアリングであって、指輪や腕輪等のリングに関するものである。      
【背景技術】
【０００２】
従来の指輪は、貴金属材でリング状に形成したり、このリング状のものに宝石を取付けたり、リングの表面に模様を形成したものである。これらのリングの中で、夫婦や恋人同士のペアにおいて、同一形状（デザイン）、同一模様（文字）、同一宝石等を用いて、これらの共通性により一体感や親近感を抱かせる２個一対になったペアリングを装着することも多い。このペアリングにおいて、２個一対のペアリングを嵌め合わせると、端面に文字や模様が表示される結婚指輪や恋人同士のペアリングの技術が開示されている（文献１，２）。
【特許文献１】特開２００３−２９９５１１号公報（〔０００５〜０００６〕、〔図１，２〕）
【特許文献１】特開２００４−６５８３０号公報（〔０００４〕、〔図２，４，５〕）
【発明の開示】
【発明が解決しようとする課題】
【０００３】
しかし、前述の先行技術は、２個一対のペアリングを二つ嵌め合わせると、夫婦や恋人同士の連帯感を強調する文字や図形が表示されるものであって、観念的に一体感を得る意味で優れているが、現実的に、かつ、物理的に惹き合うようなペアリングではない。
【０００４】
本発明は、前述の課題を解決するためになしたものであって、結婚リングや恋人同士のペアリングとして好適なもので、２個一対のペアリング同士が物理的に惹き合い又は吸着して、夫婦や恋人同士にとって一体感や親密感を醸し出すペアリングであって、指輪や腕輪等のリングを提供するものである。
【課題を解決するための手段】
【０００５】
上記の目的を達成するための本発明の請求項１に係るペアリングは、２個一対の指輪又は腕輪からなるペアリングであって、夫々のリングがお互いに異なる磁極をリング外周表面に形成したることを特徴とする。
【０００６】
この構成によれば、ペアリングを構成するリングの片方をもう片方に近づければ、異なる磁極であるＮ極とＳ極とが引き合う力が働くと共に、最終的に吸着することもできる。恋人同士等がリングを嵌めた指や腕をお互いに近づけることにより、ペアリングに生じた吸引力及び吸着が恋人同士等の一体感や親密感を醸し出すことができる。
【０００７】
また、請求項２に係るペアリングは、請求項１記載のペアリングにおいて、前記磁極を形成する永久磁石がリング本体内に単数個又は複数個をリング径方向に配列して埋設され、かつ、該リング本体が非磁性を有する金属製又は合成樹脂製又は木製であることを特徴とする。
【０００８】
この構成によれば、リング外周表面に磁極を露出又は僅かに隠れる程度に形成することができる。そしてペアリングの片方のリング外周表面に例えばＮ極を、もう片方のリング外周表面に反対のＳ極を形成させることができる。また、永久磁石を複数個埋設すれば、リングが指又は腕に対して回っても、その位置に関係なく、常に吸引力又は吸着力を確保できる。また、リング本体が非磁性を有する金属製又は合成樹脂製又は木製であるから、リング本体内に埋め込まれた永久磁石の磁力線の作用を乱すことが無い。
【０００９】
また、請求項３に係るペアリングは、請求項１記載のペアリングにおいて、前記磁極が、磁性材料で構成されたリング外周表面に形成していることを特徴とする。
【００１０】
この構成によれば、磁性材料からなるリングを着磁してリング外周表面に磁極を形成することにより、相異なる磁極を外周表面に均一に有するペアリングを得る。これにより、夫々のリングが相異なった磁極を持ち、かつ、外周表面に均一に残留磁束密度が現れるので、このペアリングを二人が装着したときに、より確実に吸引力が得られ、また、お互いに吸着させることも可能となる。
【００１１】
また、請求項４に係るペアリングは、請求項２記載のペアリングにおいて、前記永久磁石がフェライト系磁石及び希土類系磁石の内から選択される一種類であることを特徴とする。
【００１２】
これらの構成によれば、フェライト系磁石の代表であるＢａ、Ｓｒフェライト系磁石又は希土類系磁石の代表であるネオジウム―鉄―ボロン系磁石を用いると、残留磁束密度の大きいものが得られ、ペアリング同士の吸引力及び吸着力を高めることができる。
【００１３】
また、請求項５に係るペアリングは、請求項３記載のペアリングにおいて、前記磁性材料がフェライト系材料、希土類系材料、フェライト系ボンド磁石材料及び希土類系ボンド磁石材料の内から選択される一種類であることを特徴とする。
【００１４】
これらの構成によれば、磁性材料をリングに焼結、射出又は硬化成型した後、着磁すれば、リング外周表面に磁極を形成し、しかも残留磁束密度を大きくすることができる。とくに、ナイロン樹脂又はエポキシ樹脂を含有するボンド磁石は脆くなく、成形性が良好で、複雑な形状や模様を有するリングの製作が可能となる。
【００１５】
また、請求項６に係るペアリングは、請求項２乃至５のいずれかに記載のペアリングにおいて、前記ペアリングのリング表面に貴金属膜又は窒化チタン膜が固着されていることを特徴とする。
【００１６】
また、請求項７に係るペアリングは、請求項６記載のペアリングにおいて、前記貴金属膜又は窒化チタン膜がイオンプレーティング、スパッタリング又はＣＶＤにより蒸着された膜であることを特徴とする。
【００１７】
これらの構成によれば、金の貴金属膜、金色の窒化チタン膜や白金又は銀の金属膜等の被膜をリング表面に固着形成することにより、リングを構成する金属材料、合成樹脂又は木及び永久磁石又は磁性材料からなる磁石の色を貴金属等被膜の装飾色でマスキングできるので、装飾品であるペアリングの美的価値を高めることができる。また、ペアリング装着時に、この被膜により人体の汗や水仕事等によるリング表面の腐食や変色を防止することができる。とくに、ネオジウム―鉄―ボロン系磁石の表面が腐食しやすいことを防止することができる。
【発明の効果】
【００１８】
本発明に係る請求項１乃至５のペアリングによれば、２個一対の指輪又は腕輪からなるリングであって、夫々のリングの外周表面に残留磁束密度の大きい相異なる磁極を単数、複数又は外周に亘り均一に形成させているので、結婚指輪又は恋人同士のペアリングとして二人が腕や手指に装着すると、お互いにリングを近付けた場合にペアリング同士が惹き合い又は吸着し合うことができるので、二人の親近感や親密感を醸し出すことができる。また、ペアリング同士が吸着する時の音も二人の一体感を助長することができる。また、磁石としてはフェライト系磁石若しくは希土類系磁石の永久磁石をリング内に埋設して用いることができ、又は、フェライト系若しくは希土類系の磁性材料又はフェライト系若しくは希土類系のボンド磁石を用いることで、吸着力を増大する残留磁束密度を得ることができるし、また、磁性材料又はボンド磁石の場合は、リングの成型性や装飾性が容易な構造を採れることで経済的な付加価値を加えることができる。また、本発明に係る請求項６，７のペアリングによれば、部分的に永久磁石を又は全体を磁性材料から構成されているリング全体の表面に、貴金属膜又は窒化チタン膜の被膜を固着形成することで、貴金属の外観を有するリングが得られるので、装飾性に優れた高級感をもたらすと共に、耐蝕性や耐変色性が加わり、時間経過による外観の劣化を防止することができる。
【発明を実施するための最良の形態】
【００１９】
以下、本発明の実施形態を図面に基づいて説明する。図１は、本発明に係るペアリングの一実施形態を示す（ａ）は模式的斜視図、（ｂ）はＡ−Ａ矢視の断面図、（ｃ）はＢ−Ｂ矢視の断面図である。図２は、本発明に係るペアリングの別の実施形態を示す（ａ）は模式的斜視図、（ｂ）はＡ−Ａ矢視の断面図、（ｃ）はＢ−Ｂ矢視の断面図である。図３は、本発明に係るペアリングの別の実施形態を示す（ａ）は模式的斜視図、（ｂ）はＡ−Ａ矢視の断面図、（ｃ）はＢ−Ｂ矢視の断面図である。
【００２０】
図１，２，３に基づいて、本発明に係わるペアリング１を説明すると、ペアリング１は指輪又は腕輪として２個一対のものであって、男性用及び女性用リングからなり、通常サイズは男性用が大きく、女性用は小さい。なお、図１，２，３では男性用（大）及び女性用（小）の指輪を表している。
【００２１】
図１は、単数の永久磁石２を飾台１ｂに埋設したペアリング１であって、永久磁石２の磁極が径方向に現れるように設置したものである。リング外周表面に現れる磁極は、ペアリング１のリング同士を吸着させるために、図１の（ｂ）、（ｃ）に示すように、男性用リングがＮ極であれば、女性用はＳ極になるように配設する。リング本体１ａと飾台１ｂは通常一体に形成され、その材質は永久磁石２の磁力線５が透過する非磁性の金属又は合成樹脂又は木製がよい。非磁性金属としては、白金、金、銀、銅、アルミ、真鍮等を用いることができ、鋳造又は射出成形で成形される。この場合、成形時に温度が高いので、永久磁石２はリング本体１ａの仕上げ後、冷間時に固着する必要がある。合成樹脂としては、射出成形に適したポリスチレン、ポリプロピレン等を用いることができ、又は、ブロー成形に適したポリエチレン、塩化ビニル等を用いることができる。この場合、永久磁石２は成形時に中子として包むことも可能である。また、永久磁石２の磁極がリング外周表面に露出しないよう配設するときには、磁極が覆われるリング本体１ａの材料の肉厚はできるだけ薄くするのが磁力線５の磁束密度を減少しない点で望ましい。また、永久磁石２の飾台１ｂ内への配設は、ペアリング１同士の磁力線５が及ぼす吸着力に対する反力により永久磁石２が抜け出さないように、永久磁石２を飾台１ｂに嵌め込むか又は接着して対応する必要がある。また、リング本体１ａの径方向の断面形状は円形、長円形又は三角以上の多角形のいずれでもよい。また、単数の永久磁石２を配設したペアリング１は、指輪としては磁力線５の方向が決まっていて、かつ、指輪も指に対して回らないので問題は無いが、腕輪は径が大きく、手首や腕に対して自由自在に回り得る形状のため、ペアリング１同士の磁力線５の方向が周方向に対して定まりにくいから吸引力又は吸着力の発揮に難点があり、腕輪には不向きである。また、指輪のリング本体１ａに切れ目があっても、永久磁石２の磁力線５の作用効果に対する悪影響は殆どない。
【００２２】
また、永久磁石２としては、ペアリング１同士の吸引力又は吸着力を大きくする残留磁束密度の高い永久磁石２がよく、フェライト系磁石又は希土類系磁石を用いる。フェライト系磁石としては、Ｂａフェライト系磁石又はＳｒフェライト系磁石が適切で、これらの残留磁束密度は０．２〜０．４Ｔの範囲にある。希土類系磁石としては、ネオジウムＦｅＢ系磁石を用いるのが、サマリウムＣｏ系磁石よりも経済的であり、これらの残留磁束密度は０．９〜１．３Ｔの範囲にある。また、フェライト系磁石は希土類系磁石よりも残留磁束密度が低いが経済的である。また、これらの永久磁石２は焼結品であるので、装飾品の表面の一部として出る場合には、貴金属系被膜等を表面に固着させることも必要となる場合がある。
【００２３】
図２は、複数の永久磁石２をリング本体１ａに埋設したペアリング１であって、各永久磁石２の磁力線５が径方向に現れるように設置したものである。リング１ａ外周表面に現れる磁力線５は、ペアリング１のリング同士を吸着させるために、図２の（ｂ）、（ｃ）に示すように、男性用リングがＮ極であれば、女性用はＳ極になるように配設する。リング本体１ａの材質は〔００２〕に述べた如くで、永久磁石２の磁力線５が透過する非磁性の金属又は合成樹脂又は木がよい。また、永久磁石２の磁極がリング外周表面に露出しない配設の場合は、磁極が覆われる材料の肉厚はできるだけ薄くするのが磁束密度を減少しない点で望ましい。また、永久磁石２のリング本体１ａ内への配設は、ペアリング１同士の磁力線５が及ぼす吸着力に対する反力により永久磁石２が抜け出さないように、永久磁石２をリング本体１ａに嵌め込むか又は接着して対応する必要がある。また、リング本体１ａの径方向の断面形状は円形、長円形又は三角以上の多角形のいずれでもよいが、磁力線５の作用効果に関すれば四角形が望ましい。また、複数の永久磁石２を配設したペアリング１は、磁力線５の周方向に対する指向性がほとんど無いから、指輪としても、また、手首や腕に対して自由自在に回り得る腕輪でも、吸引力又は吸着力の発揮に問題はない。また、複数の永久磁石２の配置は、リング全周に亘り均等に配置する必然性もなく、偏ってもよい。また、指輪又は腕輪のリング本体１ａに切れ目があっても、永久磁石２の磁力線５の作用効果に対する悪影響は殆どない。また、永久磁石２については前述したとおりである。
【００２４】
図３に示すペアリング１は、リング本体１ａを磁性材料でもってラジアル異方性を付加する磁場成型し、所定加工済みの成型製品をラジアル方向に着磁して、リング本体１ａの外周表面（例えばＮ極）と内周表面（例えばＳ極）に磁極を形成するものであって、残留磁束密度を大きくすることができると共にラジアル方向（周方向）の磁力線５の指向性をなくすことができる。また、磁性材料としては、フェライト系材料、希土類系材料、フェライト系ボンド磁石材料又は希土類系ボンド磁石材料のいずれかを用いる。
【００２５】
フェライト系材料の場合は、Ｂａフェライト又はＳｒフェライトであって、そのリング本体１ａは、磁性に適した成分に調整後、粉砕された微粒の磁性材料をラジアル異方性が付加するようリング本体１ａに磁場成型し、その後焼結した焼結品である。よって、装飾品としては研削加工を行った後、貴金属膜又は窒化チタン膜をイオンプレーティング、スパッタリング又はＣＶＤにより蒸着して被膜４を被覆加工後、ラジアル方向に着磁してリング本体１ａを製作する。こうして夫々が相異なる磁極を持つペアリング１を製作することができる。また、希土類系材料の場合は、ネオジウムＦｅＢ系材料であって、そのリング本体１ａは、磁性に適した成分に調整後、溶解鋳造し、鋳造品を粉砕して作った微粒の磁性材料をラジアル異方性が付加するようリング本体１ａに磁場成型し、次いで焼結した後、時効処理した焼結品である。よって、装飾品としては研削加工を行った後、貴金属膜又は窒化チタン膜をイオンプレーティング、スパッタリング又はＣＶＤにより蒸着して被膜４を被覆加工後、ラジアル方向に着磁してリング本体１ａを製作する。こうして夫々が相異なる磁極を持つペアリング１を製作することができる。
【００２６】
また、ボンド磁石の場合は、前述のフェライト系又は希土類系磁性材料に熱可塑性ナイロン樹脂を混合して、ラジアル異方性が付加するようリング本体１ａに磁場中で射出成型するか、又は、フェライト系又は希土類系磁性材料に熱硬化性エポキシ樹脂を混合して、ラジアル異方性が付加するようリング本体１ａに磁場中で圧縮成型し、硬化処理後ボンド磁石のリング本体１ａを製作する。これらのボンド磁石のリング本体１ａは、成型性が良好で、複雑な形状や模様を有するリング本体１ａが得られ、かつ、被加工性も良好で装飾品として研削加工した後、貴金属膜又は窒化チタン膜をイオンプレーティング、スパッタリング又はＣＶＤにより蒸着して被膜４を被覆加工後、ラジアル方向に着磁してリング本体１ａを製作する。こうして夫々が相異なる磁極を持つペアリング１を製作することができる。こうして得られたリング本体１ａ、即ちボンド磁石の残留磁束密度は、Ｂａ又はＳｒフェライト系磁石で射出成型のものが０．２〜０．３Ｔ、ネオジウムＦｅＢ系磁石で射出成型のものが０．５５Ｔ位、圧縮成型のものが０．７０Ｔ位で、いずれも十分な吸引力または吸着力が得られる。また、ボンド磁石は割れにくく、しかも金属、合成樹脂等との一体成型も可能であるから、ボンド磁石と非磁性材料との複合化したペアリング１も製作することもできる。
【産業上の利用可能性】
【００２７】
結婚指輪又は恋人同士において、二人が装着する装飾品であるペアリングとして利用できる。
【図面の簡単な説明】
【００２８】
【図１】本発明に係るペアリングの一実施形態を示す（ａ）は模式的斜視図、（ｂ）はＡ−Ａ矢視の断面図、（ｃ）はＢ−Ｂ矢視の断面図である。
【図２】本発明に係るペアリングの別の実施形態を示す（ａ）は模式的斜視図、（ｂ）はＡ−Ａ矢視の断面図、（ｃ）はＢ−Ｂ矢視の断面図である。
【図３】本発明に係るペアリングの別の実施形態を示す（ａ）は模式的斜視図、（ｂ）はＡ−Ａ矢視の断面図、（ｃ）はＢ−Ｂ矢視の断面図である。
【符号の説明】
【００２９】
１：ペアリング        １ａ：リング本体      １ｂ：飾台        ２：永久磁石          ３：磁性材料            ４：被膜          ５：磁力線  
【図１】
2007111141.tif 000003
【図２】
2007111141.tif 000004
【図３】
2007111141.tif 000005